(57)【特許請求の範囲】
【請求項１】
長辺又は短辺の長さが異なる複数枚の不織布シートを、異なる長さに従って少なくとも一方の側縁もしくは両側縁が、階段状となるよう順次重ねて積層体を形成するとともに、
前記積層体の階段状部分に、常温下において絞付け加工を行なうことによって、複数の凹凸模様を所要の間隔を存して形成し、
前記凹凸模様によって、上下方向において当接する不織布シート同士を、互いに剥離可能に接合させて不織布シート積層体を構成したこと
を特徴とする清掃用シート。
【請求項２】
前記不織布シート積層体は、
最内層を構成する不織布シートが、当該不織布シート積層体を清掃具に取着するための取付け面として使用されること
を特徴とする請求項１に記載の清掃用シート。
【請求項３】
前記不織布シート積層体は、
最内層を構成する長辺の最も長い不織布シート、もしくは短辺が最も短い不織布シートが、当該不織布シート積層体を清掃具に取着するための取付け面として使用されるとともに、不織布シート積層体の階段状部分に形成される前記凹凸模様とは別に、次層との間に複数の別の凹凸模様が形成されたものであること
を特徴とする請求項１に記載の清掃用シート。
【請求項４】
前記階段状部分に形成される凹凸模様は、
清掃用シートを清掃具に取着した際に、清掃具の側面及び／又は天面に位置するように設けられていること
を特徴とする請求項１に記載の清掃用シート。
【請求項５】
長辺又は短辺の長さが異なる複数枚の不織布シートを、異なる長さに従って少なくとも一方の側縁もしくは両側縁が、階段状となるよう順次積層して不織布シート積層体を形成したのち、
得た不織布シート積層体の階段状部分に、常温下において絞付け加工を行ない、上下方向において当接する不織布シート同士を、互いに剥離可能に接合させる複数の凹凸模様を所要の間隔を存して形成すること
を特徴とする清掃用シートの製造方法。
【請求項６】
前記絞付け加工は、
前記不織布シート積層体を清掃具に取着するための取付け面として使用される、長辺の最も長い不織布シートもしくは短辺が最も短い不織布シートからなる最内層と次層との間には、不織布シート積層体を形成する前記凹凸模様とは別の凹凸模様をも形成するものであること
を特徴とする請求項５に記載の清掃用シートの製造方法。
【請求項７】
前記不織布シート積層体への凹凸模様の形成は、
シールロールによる絞付け加工によって行なうもので、不織布シート積層体への押圧加重が１００ｋｇｆ／ｃｍ２〜２００ｋｇｆ／ｃｍ２の範囲内にあること
を特徴とする請求項５又は６に記載の清掃用シートの製造方法。
【発明の詳細な説明】
【技術分野】
【０００１】
この発明は、床、テーブル、机、食器、家具、建具、事務用具、備品などに付着する埃や汚れ、水分等を拭い清掃するための清掃用シート、さらには、取り替え式シートタイプのモップ状清掃具のシートとして利用される清掃用シートに関するものである。
【背景技術】
【０００２】
床、テーブル、机、食器、家具、建具、事務用具、備品などの清掃用具として、たとえば、特許文献１（特開平７−２４２０９８号公報）においては、裏面に接着剤を塗布して粘着加工したメルトブロー不織布シートを、複数枚重ねて積層したものをスポンジに貼付し、使用により汚れたときには、一枚づつ剥がしてその都度きれいなシートが現れるようにしたクリーナーが提案されている。
【０００３】
また、特許文献２（特開２００２−２６６２１８号公報）には、不織布シートを上下に複数枚積層して積層シートを製作し、この積層シートに対して、不織布シートの繊維に係合するアゴ部を有するニードルを突き刺しては抜き取る操作を繰り返し行うことで、上下の不織布シートの繊維を相互に絡ませて、複数の不織布シートを１枚ずつ引き剥がし可能に結合した不織布積層体が提案されている。
【特許文献１】特開平  ７−２４２０９８号公報（段落番号０００５）
【特許文献２】特開２００２−２６６２１８号公報（請求項１および２）
【発明の開示】
【発明が解決しようとする課題】
【０００４】
しかしながら、前記特許文献１に記載の粘着剤を用いて不織布を積層する方法は、使用時において、不織布シートが容易に剥離しないよう、また、使用済みの不織布シートを容易に引き剥がせるように、上下に当接する不織布シート間の結合強度を微妙に調整することが困難で、使用時に剥離してしまったり、不要になった不織布シートを円滑に引き剥がすことができなかったりする、という実用上解決すべき課題がある。
【０００５】
また、不織布にとって異物である粘着剤を用いることによって、不織布シートの表面に粘着剤からなる硬質な層が形成されるので、この接着剤層が使用中に払拭対象面を傷つけるおそれがあるとともに、リサイクルする際にも問題がある。
【０００６】
また、特許文献２に記載の不織布積層体は、不織布シートを融着により、1枚ずつ引き剥がし可能に結合したもので、積層する方法は、粘着剤を使用した時と同じく、融着によって、異質ではないが硬質な層が形成され、裏面のみを融着した場合でも、硬質な層の積層によって得られた積層体は硬く、感触が悪く、使い勝手の必ずしも良いものではなく、結合強度の微妙な調整も、粘着剤を用いる場合に比較すれば容易になったとは言え、必ずしも簡単ではない。
【０００７】
さらに、上下の不織布シートの繊維を相互に絡ませて、1枚ずつ引き剥がし可能に結合し、積層する方法として、具体的に例示された方法は、不織布シートの繊維に係合するアゴ部を有するニードルを、突き刺しては抜き取る操作を繰り返し行なうという方法であるので、粘着剤の使用や融着と異なり、硬質の層を形成しない点で優れるものである。
しかしながら、アゴ部の調整（その数と大きさの設定）と、繰り返し回数の設定が困難で、結合強度の微妙な調整が容易であるとは言えない。
【０００８】
この発明はかかる現状に鑑み、結合強度の微妙な調整がきわめて容易であるとともに、異質、同質を問わず硬質層を形成せず、リサイクルも容易である上、不織布シートの積層体からなる清掃用シートとして、使用に際して、積層された不織布シートが容易には剥離せず、表面層を形成する不織布シートが汚染した場合は、当該汚染された不織布シートの取外しが容易で、取替え式シートタイプのモップ状清掃具のシートとして使用しても、優れた特性を発揮する清掃用シートを提供せんとするものである。
【課題を解決するための手段】
【０００９】
前記の目的を達成するため、この発明の請求項１に記載の発明は、
長辺又は短辺の長さが異なる複数枚の不織布シートを、異なる長さに従って少なくとも一方の側縁もしくは両側縁が、階段状となるよう順次重ねて積層体を形成するとともに、
前記積層体の階段状部分に、常温下において絞付け加工を行なうことによって、複数の凹凸模様を所要の間隔を存して形成し、
前記凹凸模様によって、上下方向において当接する不織布シート同士を、互いに剥離可能に接合させて不織布シート積層体を構成したこと
を特徴とする清掃用シートである。
【００１０】
また、この発明の請求項２に記載の発明は、
請求項１に記載の清掃用シートにおいて、
前記不織布シート積層体は、
最内層を構成する不織布シートが、当該不織布シート積層体を清掃具に取着するための取付け面として使用されること
を特徴とするものである。
【００１１】
また、この発明の請求項３に記載の発明は、
請求項１に記載の清掃用シートにおいて、
最内層を構成する長辺の最も長い不織布シート、もしくは短辺が最も短い不織布シートが、当該不織布シート積層体を清掃具に取着するための取付け面として使用されるとともに、不織布シート積層体の階段状部分に形成される前記凹凸模様とは別に、次層との間に複数の別の凹凸模様が形成されたものであること
を特徴とするものである。
【００１２】
また、この発明の請求項４に記載の発明は、
請求項１に記載の清掃用シートにおいて、
前記階段状部分に形成される凹凸模様は、
清掃用シートを清掃具に取着した際に、清掃具の側面及び／又は天面に位置するように設けられていること
を特徴とするものである。
【００１３】
さらに、この発明の請求項５に記載の発明は、
長辺又は短辺の長さが異なる複数枚の不織布シートを、異なる長さに従って少なくとも一方の側縁もしくは両側縁が、階段状となるよう順次積層して不織布シート積層体を形成したのち、
得た不織布シート積層体の階段状部分に、常温下において絞付け加工を行ない、上下方向において当接する不織布シート同士を、互いに剥離可能に接合させる複数の凹凸模様を所要の間隔を存して形成すること
を特徴とする清掃用シートの製造方法である。
【００１４】
また、この発明の請求項６に記載の発明は、
請求項５に記載の清掃用シートの製造方法において、
前記絞付け加工は、
前記不織布シート積層体を清掃具に取着するための取付け面として使用される、長辺の最も長い不織布シートもしくは短辺が最も短い不織布シートからなる最内層と次層との間には、不織布シート積層体を形成する前記凹凸模様とは別の凹凸模様をも形成するものであること
を特徴とするものである。
【００１５】
また、この発明の請求項７に記載の発明は、
請求項５に記載の清掃用シートの製造方法において、
前記不織布シート積層体への凹凸模様の形成は、
シールロールによる絞付け加工によって行なうもので、不織布シート積層体への押圧加重が１００ｋｇｆ／ｃｍ２〜２００ｋｇｆ／ｃｍ２の範囲内にあること
を特徴とするものである。
【発明の効果】
【００１６】
この発明の清掃用シートは、長辺又は短辺の長さが異なる複数枚の不織布シートを、異なる長さに従って少なくとも一方の側縁、もしくは両側縁が階段状となるよう積層して不織布シートとするとともに、この不織布シート積層体を構成する不織布を、前記階段状部分で、順次剥離可能に接合しているので、各不織布シートの少なくとも一方の側縁に、剥離する際の摘みとなる耳部が形成され、あるいは端部が明確に判明し、使用して汚れた不織布シートのみを掴んで剥がすことができる。
また、残りの枚数も容易に確認することができるものである。
【００１７】
特に、この発明の清掃用シートにおいては、凹凸模様を有するシールロールによって、常温下において絞付け加工を行なって凹凸模様を形成し、もって複数枚の不織布シートを１枚ずつ引き剥がし可能に接合しているので、清掃中に積層された不織布シートが剥がれ落ちることはない。
また、使用後は、汚れた最外層に位置する不織布シートのみを、不織布シート積層体から容易に剥離することができるものである。
【００１８】
さらに、前記清掃用シートにおいて、これをモップ状の清掃具の清掃部に装着して使用する際、取付け用の不織布シートを除き、最大の大きさの不織布シートが常に最外面に位置するように取付ければ、1枚剥離させた場合にも、常に最大の大きさのシートが最外面に顕出するため、清掃に使用している不織布シート以外は露出しないので、ホコリや汚れが、内面に位置する未使用の不織布シートに付着することをほぼ完璧に防止することができる。
【００１９】
また、この発明にかかる清掃用シートを、モップ状の清掃具の清掃部に装着した際、前記凹凸模様を清掃部の側面及び／又は天面に位置するように設けた場合には、清掃中に結合部分が清掃面との摩擦により外れることがない。
【００２０】
また、この発明にかかる清掃用シートは、不織布シート同士の結合のために異質の材料を使用する必要がないので、リサイクルしやすい清掃用シートを、さらに、凹凸模様も部分的に設ければよいため、不織布シートの感触を充分に生かした清掃用シートを形成することができる。
【００２１】
また、不織布シート同士を接合するための凹凸模様を、不織布シート積層体の階段状に構成された部分に設けるとともに、長さの異なる不織布シートに凹凸模様が跨るようにして複数を、所要の間隔を存して形成しているので、不織布シート同士の接合強度を容易に変化させ、また調整することができる。
【００２２】
さらにまた、この発明の清掃用シートの製造方法によれば、長辺又は短辺の長さが異なる複数枚の不織布シートを異なる長さに従って、少なくとも一方の側縁が階段状となるよう順次積層して不織布シート積層体とし、得た不織布シート積層体の前記階段状部分に、
常温下において絞付け加工を行ない、上下方向において当接する不織布シート同士を、互いに剥離可能に接合させる複数の凹凸模様を所要の間隔を存して形成するという簡単な工程によって、前記に記載の優れた機能を有する清掃用シートを容易に得られる。
【発明を実施するための最良の形態】
【００２３】
以下、この発明の実施形態にかかる清掃用シートとその製造方法を、図面を参照して詳細に説明する。
【００２４】
この発明の清掃用シート１は、不織布シートの積層体からなるものである。
用いられる不織布シートとしては、その材質が、ポリエチレンテレフタレート、ポリブチレンテレフタレート等のポリエステル系、ナイロン６、ナイロン６６等のポリアミド系、ポリプロピレンやポリエチレンなどのポリオレフィン系、あるいはそれらの複合化繊維、アセテート等の半合成繊維、キュプラ、レーヨン等の再生繊維、コットン、麻等の天然繊維などのものが挙げられる。
【００２５】
これらの中で、耐久性の点でポリオレフィン、ポリアミド、ポリエステルを材質とするものが好ましく用いられる。
【００２６】
これらの不織布シートとしては、スパンレース、エアレイド、サーマルボンド、スパンボンド、ケミカルボンドなど、いずれの製法により製造されたものでも用いることができる。
しかしながら、繊維間に適度に隙間を有し、ゴミやホコリを捕捉し易く、また、繊維間が密すぎないため、当接する不織布シート同士の結合強度を、使用済みの不織布シートを容易に引き剥がせるように調整し易いことから、スパンレース法で製造された不織布シートが好ましく用いられる。
【００２７】
かかる不織布シートの積層体を清掃用シートとするに際し、使用時において、積層された不織布シート同士が容易に剥離しないよう、また、汚染した使用済みの不織布シートのみ容易に引き剥がせるように、上下方向において互いに当接する不織布シート間を剥離可能に結合するには、絞付け加工（エンボス加工）を用い、この絞付け加工によって形成された凹凸模様、より正確には凹凸部により、当接する不織布シート同士を互いに接合保持させるものである。
【００２８】
図１は、この発明の清掃用シートの一例を示す平面図である。
清掃用シート１は、この実施例では、６枚の不織布シート２，３，４，５，６，７が順次積層された不織布シート積層体で構成されるもので、不織布シート２は、長辺２８０ｍｍ、短辺２１０ｍｍの長方形のポリエステルを素材とするものである。
不織布シート３〜７も同質のものであるが、短辺の長さが夫々異なり、数字が大きくなるに従って短辺の長さが短くなっている。
すなわち、最も短辺の長い不織布シート２の裏面に、２番目に短辺の長い不織布シート３を、後は短辺の長さに応じて不織布シート４，５，６，７の順で、側縁部が階段状になるように積層されて不織布シート積層体としている。
【００２９】
この清掃用シート１には、前記不織布シート積層体の長手方向に沿った側縁部の階段状部に、それぞれ所要の間隔をあけて、絞付け加工により形成された凹凸模様８，８・・・が片側に５個ずつ、不織布シート３〜７の階段状部を斜め横方向に跨るように形成されている。
この凹凸模様８，８・・・は、複数の直線状の凹部が、それぞれ平行にかつ全体が三角形を形成するように設けられている。
【００３０】
また、清掃用シート１には、不織布シート３の長手方向に沿った側縁部に、絞付け加工により形成された別の凹凸模様９，９が片側に２個ずつ、平行に形成されている。
【００３１】
前記凹凸模様９，９は、複数の直線状の凹部が、それぞれ平行にかつ全体が長方形を形成するように設けられている。
【００３２】
絞付け加工により凹凸模様８，９を形成するに際しては、加熱する必要はなく、凹凸部を有するシールロールで常温下に圧力を加えることで、以下の機能が奏される。
【００３３】
不織布シート２〜７の６枚が、絞付け加工によって長手方向に沿った側縁部の階段状部に、凹凸模様８，８・・・を対称的に形成した箇所において、上下方向で当接する不織布シートの一部が、加工圧力によって、部分的に一方の不織布シートの繊維が、他方の不織布シートの繊維間に押し込まれ、その箇所において不織布シート２〜７が適度に一体化して、粘着剤や融着により接合させた場合のように硬質な層を形成することない。
【００３４】
したがって、特許文献２に記載された発明のように、ニードルを突き刺しては抜き取るといった煩雑な工程を行なわずとも、凹凸を有するシールロールで表面から圧力を加えるだけでよい。
また、得られた不織布シート積層体、すなわち清掃用シート１は、使用時においても不織布シートが容易に剥離せず、使用済みの不織布シートは、指により容易に引き剥がせるという機能を奏するものである。
【００３５】
特に、不織布シート２と不織布シート３に跨って凹凸模様９，９を形成しておけば、その箇所において、不織布シート２と不織布シート３の２枚のシートが一体化され、これによって、不織布シート７から順に剥離していった場合、最後に残る２枚については、その間の接合強度を上げることができるのである。
【００３６】
図１に示される清掃用シート１において、不織布シート２，３，４，５，６，７の短辺の長さを夫々異ならせ、最も短辺の長い不織布シート２の裏面に、２番目に短辺の長い不織布シート３が、後は短辺の長さに応じて不織布シート４，５，６，７が階段状に積層されている。
これは、使用済みの不織布シートの端部に対する視認を容易にし、指による引き剥がしを容易にするためである。
【００３７】
また、逆に図示しないが、短辺の短い不織布シートから順に、短辺の長い不織布シートを積層したものは、使用に際して、表面層（拭き取り層）を形成する不織布シート以外、すなわち、内面の不織布シートの全体を覆うため、内面の不織布シートの汚染を完璧に防止できる。
【００３８】
最も短辺の長い不織布シート２は、取替え式シートタイプのモップ状清掃具との取付け面として使用される。
【００３９】
その機能について、図２を用いて説明すると、図２はこの発明の清掃用シート１を、取替え式シートタイプのモップ状清掃具２０の取付け状態を示すものである。
この清掃用シート１は、積層された不織布シート２（最も短辺の長いシート）を介して取付けられるものである。なお、取付け構造については図示しない。
【００４０】
かかる不織布シート積層体からなる清掃用シート１において、最外層を形成する２枚、具体的には不織布シート２又は７の内１枚は、払拭対象に接する側の面の不織布シートとなるのである。
その反対側の不織布シート（以下、最内層ともいう。）は、モップ状清掃具２０に取着されるもので、モップ状清掃具２０に取着可能な装着部が形成されるものである。
【００４１】
図２に示した実施例においては、不織布シート２〜７は、モップ状清掃具２０に取付けた際に最も短辺の短い不織布シート７が最外層として表面に露出し、後は短辺の長さに応じて階段状に積層されている。
したがって、各不織布シートの端部が階段状で不揃い、例えば、不織布シート７の短辺は、不織布シート６の短辺より短いので、不織布シート７を指で剥離するとき、剥離する不織布シート７の端部を探すことなく、容易に引っ張って剥離することができる。
以下、不織布シート３〜６の剥離の際も同様である。
【００４２】
なお、不織布シート３〜６を順に剥離していくと、最後にモップ状清掃具２０に取付けられた最も短辺の長い不織布シート２（最内層）が露出するが、この不織布シート２も勿論清掃に使用できるものである。
【００４３】
このように、不織布シート積層体のうち、一枚の不織布シート、実施例においては、不織布シート２をモップ状清掃具２０に取着可能な装着部とすれば、一回の絞付け加工によりモップ状清掃具２０に取着可能な装着部を備えた不織布シート２〜７の積層体からなる清掃用シート１を製造できるので好ましい。
【００４４】
なお、不織布シート２〜７を、図１とは逆に、最外層が最も短辺の長い不織布シート７で、後は短辺の長さに応じて順次積層すると、最外層のものが次層よりも常に長いため、その不織布シートの端部は、次層の不織布シートより食み出して耳部を形成し、この耳部においては、当接する不織布シート間は結合していないので、不織布シートを指で剥離するとき、耳部を掴み不織布シートを引っ張るとそれらを容易に剥離することができる。
【００４５】
また、図２に示されるように、絞付け加工により形成された凹凸模様８，８・・・は、清掃用シート１を取替え式シートタイプのモップ状清掃具２０に取付けられた際に、モップ状清掃具２０の側面及び／又は天面に位置させるのが好ましい。
【００４６】
この凹凸模様８，８・・・が、モップ状清掃具２０の底面に位置するようにすると、当該モップ状清掃具２０を用いて床面を清掃する際、各凹凸模様８，８・・・が床面に接触することになり、各凹凸模様８、８・・・による不織布シート間の接合が外れて、不織布シートが剥離するおそれが生じる。
【００４７】
この発明の清掃用シート１は、複数枚の不織布シート２〜７を積層して積層体とし、凹凸模様を有するシールロールにより、常温下に絞付け加工を行なうという簡単な工程により容易に得られるもので、その工程を図３に示す。
【００４８】
図３における清掃用シート製造装置３０は、シート積層体送入コンベア３２、シールロール３３、清掃用シート引取コンベア３４、切断ロール３５を主体として構成されたものである。
各不織布供給ロール（図示せず）から供給された不織布シート３１，３１・・・は、シート積層体送入コンベア３２上で積層され、ついでシールロール３３に送入され、シールロール３３により加圧して絞付け加工がなされる。
【００４９】
その際、押圧加重は１００ｋｇｆ／ｃｍ２〜２００ｋｇｆ／ｃｍ２の範囲であることが好ましく、それにより不織布シート２〜７の接合強度を清掃用シート１に求められるものに調整することができる。
【００５０】
なお、図３においては、シールロール３３においても、一枚の不織布シートが積層されている。
【００５１】
絞付け加工が施された不織布シート積層体は、清掃用シート引取コンベア３４により引き取られ、ついで切断ロール３５により所望の大きさに切断され、この発明の清掃用シート１とされる。
【００５２】
得られた図１に示される形状の清掃用シート１を、図２に示されるようにモップ状清掃具２０の清掃部に不織布シート２を介して止着し、床面の清掃を行ったところ、清掃中に不織布シートが剥がれ落ちることは全くない。
また、使用後、最外層の一枚を剥離したところ、容易に剥離でき、新しく露出した面はホコリや汚れが付着しておらず、清浄な状態を保っている表面を有していた。
【図面の簡単な説明】
【００５３】
【図１】この発明に係る清掃用シートの一例の部分切断平面図である。
【図２】この発明に係る清掃用シートを取替え式シートタイプのモップ状清掃具への取付け状態を示す斜視図である。
【図３】この発明に係る清掃用シートの製造工程を示す概念図である。
【符号の説明】
【００５４】
１          清掃用シート
２〜７      不織布
８          凹凸模様
９          凹凸模様
２０        モップ状清掃具
３０        清掃用シート製造装置
３１        シート
３２        シート積層体送入コンベア
３３        シールロール
３４        清掃用シート引取コンベア
３５        切断ロール
【図１】
0004674683.tif 000002
【図２】
0004674683.tif 000003
【図３】
0004674683.tif 000004